(57)【要約】【課題】スキミング装置の取り付けを防止することができる現金自動取引装置を提供する。【解決手段】挿入される媒体に記録されている情報を読み取る記録媒体読取装置であって、媒体の挿入口と、挿入口に挿入された媒体を搬送する挿入部搬送路と、を有した媒体挿入部と、媒体に記録されている情報を読み取る情報読取部と、媒体挿入部から情報読取部まで媒体を搬送する媒体部搬送路と、を有した媒体部と、媒体挿入部と媒体部との間に設けられ、媒体の搬送方向に対して縦に首を振るように媒体挿入部を回動させる駆動部と、媒体挿入部、および媒体部、および駆動部の動作を制御する媒体制御部と、を備える。【選択図】  図３
2013149078.tif 000002
【特許請求の範囲】
【請求項１】
挿入される媒体に記録されている情報を読み取る記録媒体読取装置であって、
前記媒体の挿入口と、前記挿入口に挿入された前記媒体を搬送する挿入部搬送路と、を有した媒体挿入部と、
前記媒体に記録されている情報を読み取る情報読取部と、前記媒体挿入部から前記情報読取部まで前記媒体を搬送する媒体部搬送路と、を有した媒体部と、
前記媒体挿入部と前記媒体部との間に設けられ、前記媒体の搬送方向に対して縦に首を振るように前記媒体挿入部を回動させる駆動部と、
前記媒体挿入部、および前記媒体部、および前記駆動部の動作を制御する媒体制御部と、
を備えることを特徴とする記録媒体読取装置。
【請求項２】
首振り方向に回動した前記媒体挿入部を検知する位置センサをさらに備え、
前記媒体制御部は、前記駆動部に対して前記媒体挿入部を前記位置センサが検知するまでの範囲で前記媒体挿入部を回動させる、
ことを特徴とする請求項１に記載の記録媒体読取装置。
【請求項３】
前記媒体制御部は、前記媒体が挿入された場合に前記位置センサが前記媒体挿入部を検知したか否かを判定し、前記位置センサが前記媒体挿入部を検知しないと判定した場合、前記挿入口に異物が取り付けられていると判定する、
ことを特徴とする請求項２に記載の記録媒体読取装置。
【請求項４】
前記位置センサは、前記媒体挿入部が首振りする往路方向の端と、前記往路方向とは逆の復路方向の端とに設けられ、
前記媒体制御部は、前記往路方向の端に設けられた前記位置センサが前記媒体挿入部を検知し、かつ前記復路方向の端に設けられた前記位置センサが前記媒体挿入部を検知した場合に、前記挿入口に異物が取り付けられていないと判定する、
ことを特徴とする請求項３に記載の記録媒体読取装置。
【請求項５】
前記媒体制御部は、往路方向の端に設けられた前記位置センサが前記媒体挿入部を検知しない場合、または前記復路方向の端に設けられた前記位置センサが前記媒体挿入部を検知しない場合に、前記記録媒体読取装置が異常である旨を上位装置に送信する、
ことを特徴とする請求項４に記載の記録媒体読取装置。
【請求項６】
前記媒体制御部は、前記媒体の挿入時に前記媒体搬送路が、前記媒体部搬送路に対して所定の角度をなすように傾斜して保持されるように、前記駆動部を制御する、
ことを特徴とする請求項１〜５に記載の記録媒体読取装置。
【請求項７】
前記媒体制御部は、前記媒体の排出時に前記媒体搬送路と前記媒体部搬送路とが略一直線に保持されるように、前記駆動部を制御し、前記媒体の搬送力によって前記挿入口付近に取り付けられた異物を除去させる、
ことを特徴とする請求項１〜６のいずれか１項に記載の記録媒体読取装置。
【請求項８】
請求項１〜７のいずれか１項に記載された記録媒体読取装置を備えることを特徴とする現金自動取引装置。
【発明の詳細な説明】
【技術分野】
【０００１】
本発明は、情報が記録された記録媒体の挿入を受付け、挿入された記録媒体から情報を読み取る記録媒体の読取装置およびそれを用いた現金自動取引に関するものであり、特に、記録媒体に記録された記録情報の盗み取り防止に関する。
【背景技術】
【０００２】
現金自動取引装置（ＡＴＭ：Automated  Teller  Machine）や現金支払機（ＣＤ：Cash  Dispenser）など現金自動取引装置の利用拡大に伴い、偽装カードによる不正取引の増加が社会問題となっている。特に、現金自動取引装置のキャッシュカード挿入口の形状に似せた、不正にカード情報を読み取る装置（以下、この装置をスキミング装置と呼ぶ）をカード挿入口に取り付け、利用者に気付かれること無くカード情報を盗み取り、偽装カードを作成する手口が数多く報告されている。
【０００３】
このような、スキミング装置によるカード情報の盗み取りを防止する手段として、例えば、特許文献１には、カード挿入口前面にシャッタを設け、スキミング装置が取り付けられた場合には、シャッタとスキミング装置が干渉する構造を利用して、スキミング装置の取り付けを防止する方法が開示されている。
【０００４】
また、他の例として、特許文献２では、下部プレゼンタがガイドに沿って移動してカードを搬送する際に、下部プレゼンタの迫り出した部分の状態の変化によって、利用者はスキミング装置が取り付けられていないことを視認できる一方、下部プレゼンタは挿入されたカードの磁気ストライプと接し、摩擦力によってカードを装置内部へ送り出すため、下部プレゼンタにスキミング装置が取り付けられた場合であってもカード情報が窃取される事を防止している。
【先行技術文献】
【特許文献】
【０００５】
【特許文献１】特開２００８−１９１９１６号公報
【特許文献２】特開２０１１−１４５９６１号公報
【発明の概要】
【発明が解決しようとする課題】
【０００６】
スキミング装置の代表的な例は、スキミング装置内に磁気ヘッドを組み込んで、磁気カードの磁気ストライプに記録された情報を読み取るというものである。このようなスキミング装置は、ＡＴＭのカード挿入口付近に、利用者が認知しづらい状態で取り付けられ、利用者によってカードが挿入されるのを待つ。そして、ＡＴＭにカードが挿入される際、スキミング装置内部の磁気ヘッド上をカードが通過するときに磁気ストライプ上のデータを不正に盗み取る。
【０００７】
近年、スキミング装置は小型化しており、カード搬送方向に１０数ミリの場所があれば取り付けられてしまうものもある。また、ＡＴＭ本体とカード読取装置との隙間にスキミング装置を取り付けられた事例など、ＡＴＭ内部を加工して装置内部にスキミング装置を取り付ける方法も見られるようになった。
【０００８】
特許文献１に記載された記録媒体受付装置では、シャッタの内側や挿入孔の裏側など、装置内部にスキミング装置が取り付けられた場合は、記録媒体受付装置がスキミング装置を検出できない場合もありうる。また、利用者がカードを挿入しようとする前にシャッタを開ける構成となっているため、利用者の存在を正確に検出するための機構も必要となる。
【０００９】
また、特許文献２に記載された記録媒体受付装置では、下部プレゼンタはガイドに沿って移動するため、その一部が装置前面よりも利用者側に突出して構成する必要があるため、犯罪者に突起物を破壊されるリスクがあり、ＡＴＭの稼働率低下を招く恐れがある。
【００１０】
さらには、ＡＴＭ筐体側に突起物を付加し、スキミング装置が容易に取り付けられないようにする対策方法をとることも可能であるが、上述した特許文献２の場合と同様、犯罪者に突起物を破壊されるリスクがあり、ＡＴＭの稼働率低下を招く恐れがある。
【００１１】
本発明は、このようなスキミング装置の取り付け防止にかかわる上記の問題点を解決し、情報の盗み取り防止の実効性を高めることをその目的とする。
【課題を解決するための手段】
【００１２】
上述した課題を解決し、目的を達成するために、本発明にかかる記録媒体読取装置は、挿入される媒体に記録されている情報を読み取る記録媒体読取装置であって、前記媒体の挿入口と、前記挿入口に挿入された前記媒体を搬送する挿入部搬送路と、を有した媒体挿入部と、前記媒体に記録されている情報を読み取る情報読取部と、前記媒体挿入部から前記情報読取部まで前記媒体を搬送する媒体部搬送路と、を有した媒体部と、前記媒体挿入部と前記媒体部との間に設けられ、前記媒体の搬送方向に対して縦に首を振るように前記媒体挿入部を回動させる駆動部と、前記媒体挿入部、および前記媒体部、および前記駆動部の動作を制御する媒体制御部と、を備えることを特徴とする。
【００１３】
また、本発明は、上記記録媒体読取装置を備えることを特徴とする現金自動取引装置である。
【発明の効果】
【００１４】
本発明によれば、スキミング装置の取り付けを防止し、情報の盗み取り防止の実効性を高めることができる。
【図面の簡単な説明】
【００１５】
【図１】第１の実施例を備えた現金自動取引装置１の斜視図である。
【図２】第１の実施例を備えた現金自動取引装置１の内部構成を示すブロック図である。
【図３】第１の実施例を備えた現金自動取引装置１のカード挿入部３０周辺構成とカード処理部の構成を説明する概略図である。
【図４】通常取引時のカード処理部の動作を説明する説明図である。
【図５】スキミング装置が取り付けられた状態と取り付け検知方法を説明する説明図である。
【図６】取引時の現金自動取引装置１の動作を示すフローチャートである。
【図７】スキミング装置取り付け検知処理時の動作を示すフローチャートである。
【図８】スキミング装置が取り付けられた状態と取り付け検知方法を説明する説明図である。
【図９】第２の実施例においてスキミング装置が取り付けられた状態を説明する説明図である。
【図１０】第２の実施例においてスキミング装置取り付けを防ぐ方法を説明する説明図である。
【発明を実施するための形態】
【００１６】
以下に添付図面を参照して、本発明にかかる記録媒体読取装置および現金自動取引装置の実施の形態を詳細に説明する。以下では、本発明にかかる記録媒体読取装置を、銀行システムなどの金融機関に採用されるＡＴＭ（Automated  Teller  Machine）のような現金自動取引装置に内蔵される装置に適用した場合について説明しているが、例えば、ＣＤ（Cash  Dispenser）、両替機等、記録媒体を読み取って種々の処理を実行する装置であれば適用することが可能である。
【実施例１】
【００１７】
図１は、本実施形態にかかる現金自動取引装置１の外観を概略的に示す概略図である。図２は、現金自動取引装置１の内部構成を概略的に示すブロック図である。図３は、現金自動取引装置１における要部構成であるカード挿入口周辺およびカード部の構成を概略的に示す説明図であり、図３の（Ａ）部は正面図であり、図３の（Ｂ）部は側面図である。
【００１８】
現金自動取引装置１は、利用者の操作によって現金の入出金等の取引を行う現金自動取引装置である。図１に示すように、現金自動取引装置１は、操作案内を表示すると同時に利用者の入力操作を受け付ける表示入力部２０と、利用者の口座番号や金融機関などの口座情報が記録された記録媒体であるカードの挿入を受け付けるカード挿入部３０と、現金（紙幣）を入出金する紙幣処理部４０と、を有している。
【００１９】
また、現金自動取引装置１は、その内部に、各部の動作を制御する制御部１０と、上述した表示入力部２０および紙幣処理部４０と、カード挿入部３０に挿入されたカードを取り扱うカード部１００と、を有して構成されている。
【００２０】
図２に示すように、カード部１００は、カードの裏面に付された磁気ストライプの情報を読み取る情報読み取り部である磁気ヘッド１０６と、挿入されたカードを磁気ヘッド１０６まで搬送する搬送ローラ１０３および１０４と、搬送ローラ１０３および１０４を駆動する搬送モータ１０５と、上述したカード挿入部３０と、搬送モータ１０５や搬送センサ１０２、磁気ヘッド１０６等のカード挿入部３０、カード部１００の各部を制御し、上位の制御部１０と通信するカード制御部１０１とを有する。
【００２１】
また、カード挿入部３０は、カードの位置を検出する搬送センサ１０２と、カード挿入部３０の上端の位置を検出する位置センサ１０７と、カード挿入部３０の下端の位置を検出する位置センサ１１１と、カード挿入部３０の位置をアイドラギヤ１１０が有する回転軸を中心として回動させる駆動モータ１０９と、駆動モータ１０９の回転をカード挿入部３０の位置変動に変換する駆動ギヤ１０８およびアイドラギヤ１１０と、を含んで構成されている。なお、カード挿入部３０は位置センサ１０７および位置センサ１１１を有しているが、少なくとも位置センサ１０７を有していれば、スキミング取り付け有無を確認することができる。スキミング取り付け有無の確認については、図７を用いて後述する。
【００２２】
図３に示すように、カード挿入部３０は、アライドギヤ１１０が有する回転軸によってカード部１００と接続され、その回転軸に接続した駆動モータ１０９による駆動力を受けて、アイドラギヤ１１０および駆動ギヤ１０８が回転する。そして、カード挿入部３０は、アイドラギヤ１１０および駆動ギヤ１０８の回転によって矢印Ａ方向に回転可能（回動可能）な構造となっている。また、カード挿入部３０の位置はセンサ１０７および位置センサ１１１によって検出することが可能である。なお、カード挿入部３０は、その内部にカード３を搬送するための上下の搬送ガイドによって形成された搬送路（挿入部搬送路）を有している。また、カード部１００の搬送路（搬送ローラ１０３から搬送ローラ１０４までの磁気ヘッド１０６が磁気ストライプの情報を読み取るためのカード部搬送路）を有している。以下に示すように、カード部搬送路は常に水平位置を保っているが、カード挿入部３０がアイドラギヤ１１０を中心として搬送方向に対して縦に首を振るように回動することにより、少なくともその一部が現金自動取引装置１の筺体内部に入り込むため、挿入部搬送路はカード部搬送路に対してある角度をなすことが可能な構成となっている。なお、本実施の形態では、カード３は水平方向に搬送され、カード挿入部３０が縦に首を振るように構成しているが、縦型（垂直方向にカード３を挿入するもの）のような場合には、カード挿入部３０もそれにあわせて横に首を振ることとなる。
【００２３】
次に、カード挿入部３０にカードが挿入された場合のカード部１００の動作について説明する。図４は、カード挿入部３０にカード３が挿入された場合のカード部１００の動作を示す図であり、図４の（Ａ）部はカード３の挿入時の動作を示す図であり、図４の（Ｂ）部はカード３の挿入後の動作を示す図である。
【００２４】
利用者によってカード３が挿入口３２から挿入されると、センサ１０２はカード３がカード挿入部３０に挿入されたことを検知する。センサ１０２の出力を検知したカード制御部１０１が搬送モータ１０５を制御することにより、搬送ローラ１０３および１０４は回転する。そして、搬送ローラ１０３および１０４の回転によってカード３をカード部１００内部に搬送し、磁気ヘッド１０６を通過する際にカード３に記録された磁気情報を読み取る。なお、このときのカード挿入部３０は、位置センサ１１１がダークを検出する位置にある。
【００２５】
そして、入金処理や出金処理等の取引についての所定の処理が終了すると、カード３の排出処理が上位制御部１０から指示されるため、カード制御部１０１は搬送モータ１０５を制御し、搬送ローラ１０３および１０４を排出方向に回転させる。搬送ローラ１０３および１０４が排出方向に回転すると、カード３がカード挿入口３２から利用者がカード３を抜き取り可能な位置まで搬送され、利用者がカード３を抜き取ることで一連の取引が終了する。利用者によってカード３が抜き取られると、カード制御部１０１は駆動モータ１０９を制御し、位置センサ１０７がダークを検出する元の位置までカード挿入部３０を矢印Ａ方向に回転させる（図４（Ｂ）部）。
【００２６】
続いて、カード挿入部３０にスキミング装置５０が取り付けられた場合のカード挿入部３０の動作について説明する。図５は、カード挿入部３０にスキミング装置５０が取り付けられた場合の状態を示す概略図であり、図５の（Ａ）部は、カード３の挿入時の状態を示す図であり、図５の（Ｂ）部は、カード３の挿入後にスキミング装置５０を検知する状態を示す図である。図５に示す例では、スキミング装置５０内には磁気ヘッド５１が組み込まれており、利用者がカード３を挿入あるいは抜き取る動作を行った際に磁気ストライプに記録された情報を盗み取るようになっている。
【００２７】
次に、図５（Ｂ）の部を用いて、カード挿入部３０が、取り付けられたスキミング装置５０を検知するための動作について説明する。カード挿入部３０は、カード３を用いた処理の実行が終わるまでは定位置状態３０Ａにある。前述の通り、カード挿入部３０は駆動モータ１０９により回転することができ、位置センサ１０７がダークを検出する位置まで回転した状態を検出状態３０Ｂとする。
【００２８】
異物がカード挿入部３０の接客面に取り付けられていない状態では、カード挿入部３０の接客面は駆動モータ１０９により回転方向に移動し、取引装置１の筐体内部に入り込むことができるので、位置センサ１０７のダーク検出が可能である。しかし、スキミング装置５０がカード挿入口３０の接客面に取り付けられると、スキミング装置５０が取引装置１の筐体と接触して干渉する。このため、カード挿入部３０は、検出状態３０Ｂの位置まで回転することができなくなり、位置センサ１０７の出力がライトのままとなるため、カード制御部１０１は、スキミング装置５０の取り付けを検知することができる。
【００２９】
ここで、カード挿入部３０が首振り方向に回転する角度（位置センサ１０７がダークを検知するまでの移動量、すなわち定位置状態３０Ａから検出状態３０Ｂまでの移動量）をθ0（回転角度）とし、カード挿入部３０に取り付けられたスキミング装置５０が取引装置１の筐体とぶつかるまでの角度をθ1（接触角度）とする。下側搬送ガイド３１より更に下側にスキミング装置５０の磁気ヘッド５１が取り付けられることはないので、θ１の最大値は下側搬送ガイド３１の先端、すなわちカード挿入口３２の下端が取引装置１の筐体まで移動する角度となる。
【００３０】
実際には、挿入されたカード３の磁気情報を読み取るためには磁気ストライプと磁気ヘッド５１を密着させる必要があるため、磁気ヘッド５１の上方には搬送ガイド（５０ｂ）のような構造物が必要となる。また、磁気ヘッド５１がむき出しでは利用者に不審がられる。したがって、θ1は、上述の最大値より小さい値となる。このため、少なくともカード挿入部３０の回転量をθ0＝θ1となるように設定すれば、スキミング装置５０の取り付けを確実に検知することができる。
【００３１】
次に、利用者が現金自動取引装置１を利用し、取引を行う場合の現金自動取引装置１の動作を、図６および７を用いて説明する。図６は、現金自動取引装置１で行われる取引処理の処理手順を示すフローチャートである。図６に示すように、現金自動取引装置１が取引を開始すると、カード挿入部３０は、利用者からカードＣの挿入を受け付け、カード制御部１０１は、カードＣの読み取り処理を行う（ステップＳ１）。
【００３２】
そして、カードＣの読み取り処理が正常に終了すると、制御部１０は表示入力部２０に取引を選択させる画面等を表示させ、利用者に取引を選択させる（ステップＳ２）。その後、選択した取引が正常に終了すると、カード制御部１０１は、カード返却処理を行う（ステップＳ３）。カードＣの返却後、カード制御部１０１は、スキミング取り付け有無確認処理を行う（ステップＳ４）。カード制御部１０１は、スキミング装置が取り付けられていると判断した場合は、現金自動取引装置１の稼動を停止しても良いし、表示入力部２０に注意喚起を促すガイダンス表示を表示したり、あるいは係員コールや保守員コールするなど後処理を行う。ステップＳ４の処理が終了すると、図６に示したすべての処理が終了する。
【００３３】
なお、図６に示した処理は、例えば、スキミング装置の装着者が取引を装いつつ、自らの取引処理の最後に現金自動取引装置１にスキミング装置を取り付けている前提で説明しているため、スキミング取り付け有無確認処理を最後に行っているが、図６に示した各処理のどのタイミングで行ってもよい。また、スキミング取り付け有無確認処理は毎取引ごとに行っても良いし、タイマ設定やスケジューリング等により、あらかじめ夜間など犯罪が行われるリスクの高い時間帯を指定して実施するようにすることもできる。続いて、図６に示したスキミング取り付け有無確認の詳細な処理について説明する。
【００３４】
図７は、図６に示したスキミング取り付け有無確認処理の処理手順を示すフローチャートである。カード制御部１０１は、ステップＳ３の処理が終了し、利用者がカードを抜き取った後、以下の制御を行う。
【００３５】
図７に示すように、カード制御部１０１は、位置センサ１０７がライトであるか否かを判定し（ステップＳ１１）、位置センサ１０７がライトでない（すなわち、ダークである）と判定した場合（ステップＳ１１；Ｎｏ）、何らかの障害があると判断し、異常情報を上位制御部１１に送信し、処理を異常終了させる。
【００３６】
一方、カード制御部１０１は、位置センサ１０７がライトであると判定した場合（ステップＳ１１；Ｙｅｓ）、モータ１０９にＣＷ方向動作量θ0をセットし（ステップＳ１２）、駆動を開始させる（ステップＳ１３）。そして、モータ１０９の回転駆動により、カード挿入部３０が回転する。
【００３７】
カード制御部１０１は、位置センサ１０７がライトからダークに出力変化するか否かを判定し（ステップＳ１４）、位置センサ１０７のダークを検出した場合（ステップＳ１４；Ｙｅｓ）、スキミング装置が取り付けられていないと判断し、スキミング取り付けチェックがＯＫである旨を不図示のメモリに保存する（ステップＳ１５）。
【００３８】
一方、カード制御部１０１は、位置センサ１０７のダークを検出できなかった場合（ステップＳ１４；Ｎｏ）、スキミング装置が取り付けられたと判断し、制御部１０に対してスキミング装置が取り付けられている旨の情報を送信し（ステップＳ２０）、図７に示すスキミング取り付け有無確認処理を終了させる。
【００３９】
カード制御部１０１は、ステップＳ１５において、スキミング取り付けチェックがＯＫである旨を不図示のメモリに保存すると、続いて、モータ１０９にＣＣＷ方向動作量θ0をセットし（ステップＳ１６）、駆動を開始させる（ステップＳ１７）。そして、カード制御部１０１は、位置センサ１１１がライトからダークに出力変化するか否かを判定し（ステップＳ１８）、位置センサ１１１がライトからダークに出力変化したと判定した場合（ステップＳ１８；Ｙｅｓ）、制御部１０にスキミング装置が取り付けられていない旨の情報を送信する（ステップＳ１９）。
【００４０】
一方、カード制御部１０１は、位置センサ１１１がライトからダークに出力変化していないと判定した場合（ステップＳ１８；Ｎｏ）、制御部１０にスキミング装置が取り付けられている旨の情報を送信する（ステップＳ１９）。
【００４１】
以上のように、本実施形態の現金自動取引装置１では、スキミング装置の取り付けを防止することができ、また、カード挿入部３０の接客面側には突起物のない形状のため、犯罪者に突起物を破壊されるリスクを回避できるため、装置の稼働率を維持することができる。続いて、カード挿入部３０が下向きに回転してスキミング装置の取り付け有無を検知する場合について説明する。
【００４２】
図８は、カード挿入部３０が下向きに回転してスキミング装置の取り付け有無を検知する様子を示す図である。図８に示すように、カード挿入部３０は駆動モータ１０９の回転により、図５に示した場合とは逆に、定位置より下側にθ0の角度だけ回転方向に移動することができ、θ0だけ回転した状態でセンサ１０７はダークを検出できるように構成されている。図５に示した場合と同様、カード挿入部３０は、カード３を用いた処理の実行が終わるまでは定位置状態３０Ａにあり、位置センサ１１１がダークを検出する位置まで回転した状態を検出状態３０Ｂとする。この場合、カード挿入部３０の下側搬送ガイド３１より更に上側にスキミング装置の磁気ヘッド５１が取り付けられることはないので、現金自動取引装置１の筐体とスキミング装置５０とがぶつかるまでのθ1の最大値は、カード挿入部３０の下側搬送ガイド３１の上面先端、すなわちカード挿入口３２の下端が取引装置１の筐体まで移動する角度となる。
【００４３】
実際には、スキミング装置には挿入されたカード３の磁気情報を読み取るための磁気ヘッド５１が下側搬送ガイド３１と同一平面上より下側に取り付けられており、また磁気ヘッド５１の上下方向の寸法は「０」にはならないので、スキミング装置５０は下側搬送ガイド３１より下側に厚みを持った構造となる。したがって、θ1は上述の最大値より小さい値となる。このため、カード挿入部３０の回転量をθ0＝θ1となるように設定すれば、スキミング装置５０が取り付けられた場合は必ずスキミング装置５０と取引装置１の筐体が干渉する状態となり、センサ１０７のダークを検出できなくなるため、スキミング装置の取り付けを確実に検知することができる。
【実施例２】
【００４４】
本実施例では、スキミング装置の取り付け検知だけでなく、取り付けられたスキミング装置の除去をも行える現金自動取引装置の例を説明する。図９および図１０は、実施例２における現金自動取引装置１を示す構成図の例である。図１に示した現金自動取引装置１のうち、既に説明した図１に示された同一の符号を付された構成と、同一の機能を有する部分については、説明を省略する。
【００４５】
図９は、スキミング装置５００が現金自動取引装置１の筐体面に直接取り付けられた場合を示す概略図である。図９に示すように、実施例２の場合におけるカード挿入部３００は、実施例１の場合におけるカード挿入部３０と同様の構成を備えているが、後述するように、初期ポジションが、水平面に対してやや上方に傾斜した状態となっている。また、実施例２では、スキミング装置５００として、実施例１の場合とは異なり、装置の枠が現金自動取引装置１に直接取り付けられている。このような場合を前提として取り付けられたスキミング装置５００の除去方法について、図１０を用いて説明する。
【００４６】
図１０に示すように、まず、カード挿入部３００は、カード制御部１０１の制御により、スキミング装置取り付け有無検知動作を行って定位置に戻った後（図７に示したステップＳ１８後）、位置センサ１１１がダークを検出している状態を維持しつつ、駆動モータ１０９をＣＷ方向に数度（図中θ2：傾斜角度）だけ回転させた位置に保持され、この位置が初期ポジションとなる（図１０（Ａ））。これに伴い、カード挿入口３２もθ2だけ回転した位置に移動し、スキミング装置もこのθ2だけ傾いた状態でカード挿入できるような位置でカード挿入口の位置を合わせた状態で取り付けられる。
【００４７】
そして、本状態で利用者によってカード３が現金自動取引装置１に挿入される。しかし、カード挿入角度が通常の水平面よりθ2だけ傾いているため、カード挿入時の操作性が良くないので搬送速度が一定とはならず、スキミング装置５００に取り付けられた磁気ヘッド５１でのカードの磁気ストライプの読み取り速度が一定とはなりにくい。したがって、利用者がカード３を挿入した時に、スキミング装置５００に磁気情報を盗み取られる可能性は限りなく小さくなる。
【００４８】
カード３がカード挿入部３００経由でカード部１００に保留された状態で、現金自動取引装置１が紙幣処理などの取引処理を行っている間に、カード挿入部３００は、カード制御部１０１の制御により、θ2だけＣＣＷ方向に回転され、定位置（水平位置）に移動する（図１０の（Ｂ））。そして、現金自動取引装置１による所定の取引処理が終了した後、利用者が表示入力部２０を操作してカード３の返却が実行される。このとき、カード挿入部３００は水平位置に戻って搬送ガイド３１も同様に水平状態となるため、カード挿入部３０の挿入部搬送路とカード部１００の搬送路とは略一直線となる。したがって、カード３の排出先には、スキミング装置５００の磁気ヘッド５１等構造物が必ず存在し、排出されたカード３の先端はスキミング装置５００に衝突することになる。
【００４９】
通常、スキミング装置５００は犯罪者が容易に回収することができるように両面テープ等簡易な方法で現金自動取引装置１の筐体表面に貼り付けられているため、上述したようなカード３の搬送力でスキミング装置５００を除去することができる。また、スキミング装置５００を除去できなくても、利用者がカード３を引き抜くことができないので、カード引き抜き時の磁気情報盗み取りを防止でき、また、カード３が返却されないことで現金自動取引装置１に異常が発生していることを利用者に警告して知らしめることができるため、カード情報の盗み取りを防止することができる。さらに、これと同時に次の利用者が当該装置で取引を行うことができないため、カード情報の盗み取りが連続することを防止することができる。
【００５０】
また、スキミング装置３００が取り付けられるリスクの高い夜間のみ、上述のカード挿入部３００をθ2だけ回転した位置で保持して現金自動取引装置１を稼動させる条件の設定を可能とし、θ2だけ回転した状態で装置取引（カード排出処理）が規定値以上エラー無く運用できた場合、かつ昼間（係員が駐在している時間帯）であれば、カード制御部１０１が、カード挿入部３００を定位置に戻す処理を行うことにより、カード３の挿入の操作性を損なわずにカードスキミング犯罪防止を防止することが可能な装置を提供することができる。
【符号の説明】
【００５１】
１・・・現金自動取引装置
３・・・磁気カード
２０・・・表示入力部
３０、３００・・・カード挿入部
３１・・・下側搬送ガイド３１
３２・・・カード挿入口
４０・・・紙幣処理部
５０、５００・・・スキミング装置
５０ａ・・・スキミング装置の上側搬送ガイド
５１・・・スキミング装置の磁気ヘッド
１００・・・カード部
１０１・・・カード制御部
１０２・・・カード搬送センサ
１０３・・・搬送ローラ
１０４・・・搬送ローラ
１０５・・・搬送モータ
１０６・・・磁気ヘッド
１０７・・・回転位置検知センサ
１０８・・・駆動ギヤ
１０９・・・駆動モータ
１１０・・・アイドラギヤ
１１１・・・定位置検知センサ。
【図１】
2013149078.tif 000003
【図２】
2013149078.tif 000004
【図３】
2013149078.tif 000005
【図４】
2013149078.tif 000006
【図５】
2013149078.tif 000007
【図６】
2013149078.tif 000008
【図７】
2013149078.tif 000009
【図８】
2013149078.tif 000010
【図９】
2013149078.tif 000011
【図１０】
2013149078.tif 000012